(57)【特許請求の範囲】
【請求項１】
円筒状筒壁体の前後に開口部が開設されてなる出入り口部に回転自在に配した回転体の外周に複数枚のパネルを取付け、これらパネルが出入り口部を回転することにより、出入り口部の通風を遮断しながらの開閉を行う回転ドアにおいて、前記回転体とパネルとのあいだに、ロック溝と、該ロック溝に係脱自在に弾圧係合する係合体とを備えたパネル保持装置を設けて、回転体に対しパネルを所定の姿勢に保持するにあたり、前記係合体には、係合体の前後方向の位置調整をして回転体に対するパネルの前後姿勢調整をしてパネルの外径端縁部と開口部端縁部との位置合わせをする調整手段が設けられている回転ドアのパネル取付け構造。
【請求項２】
請求項１において、パネル保持装置には、パネル側に固定される第一プレートと、回転体側に固定され前記第一プレートと係脱自在に係合する第二プレートとで構成されるクラッチ部が設けられ、パネルは、回転体に対し前記所定の姿勢を保持する姿勢保持状態と回転方向への揺動が可能な揺動可能状態とに切換えられるように構成されている回転ドアのパネル取付け構造。
【発明の詳細な説明】
【０００１】
【発明の属する技術分野】
本発明は、建築物の出入り口部等に建付けられる回転ドアのパネル取付け構造の技術分野に属するものである。
【０００２】
【従来の技術】
一般に、出入り口部に設けられた回転体に複数枚のパネルを取付け、前記回転体がパネルとともに回転作動をすることにより、出入り口部の通風を遮断して、屋内側温度を恒常的に維持しながらの開閉を行うように構成した回転ドア装置が知られている。
このような回転ドア装置において、緊急事態や異常事態等が発生することでパニック状態となる惧れがある。そこで、回転体に対してパネルを揺動自在に連結し、平常作動時においてはパネルが出入り口部を仕切る仕切り姿勢となっているが、緊急事態等のときには前記仕切り姿勢から揺動させてパネルを折り畳む折り畳み姿勢とすることで開口部を広く開放し、大量の人が通行できるようにしたものがある。ところで、このようにパネルを回転体に対して揺動自在とした場合、パネルと回転体とのあいだには通常作動時においてパネルを仕切り姿勢に保持するための保持手段が必要になり、このようなものとしては、例えば特公平６−４７９００号公報のようなものがある。このものは、パネルと回転体とのあいだに、ロック溝と、該ロック溝に所定の弾圧力で没入するロック体とで構成されたパネル保持装置を設け、ロック体がロック溝に没入している状態では、パネルが予め設定される仕切り姿勢を保持するように構成されている。そして、パネルに所定以上の押圧力が作用した場合では、ロック体がロック溝から脱出して回転方向に揺動した折り畳み姿勢に変姿できるように構成されている。
【０００３】
【発明が解決しようとする課題】
ところで、前述したような回転ドア装置において、パネルは回転体に対して所定の角度、例えば四枚のパネルが設けられるものでは９０度、三枚のパネルが設けられるものでは１２０度を存して放射状に設けられるが、パネルの製作誤差や回転体への取付け誤差等の僅かな誤差により、パネル同志の前記所定の角度が確保されず、パネルの戸先側（パネルの外径側端縁部）部位が設定位置とは位置ズレしてしまうことがある。しかも、該パネル側の誤差は、建付け現場の出入り口部を構成する筒壁体側の寸法誤差等と相俟って、回転ドアを現場に建付け、予め設定された停止状態としたとき、パネルの戸先側と筒壁体側縁部との位置関係にズレが生じてしまうことがある。このようになると、停止状態で筒壁体側縁部とパネルの外径側先端部とが丁度対向しなくなってしまい意匠的に劣るばかりでなく、筒壁体側縁部とパネルとのあいだに施錠具を設けるような場合では施錠できなくなってしまったりすることもあって問題があるが、従来の回転ドア装置では、一旦取付けたパネルの姿勢調整を行うことはできず、ここに本発明が解決しようとする課題があった。
【０００４】
【課題を解決するための手段】
本発明は、上記の如き実情に鑑み、これらの課題を解決することを目的として創作されたものであって、請求項１の発明は、円筒状筒壁体の前後に開口部が開設されてなる出入り口部に回転自在に配した回転体の外周に複数枚のパネルを取付け、これらパネルが出入り口部を回転することにより、出入り口部の通風を遮断しながらの開閉を行う回転ドアにおいて、前記回転体とパネルとのあいだに、ロック溝と、該ロック溝に係脱自在に弾圧係合する係合体とを備えたパネル保持装置を設けて、回転体に対しパネルを所定の姿勢に保持するにあたり、前記係合体には、係合体の前後方向の位置調整をして回転体に対するパネルの前後姿勢調整をしてパネルの外径端縁部と開口部端縁部との位置合わせをする調整手段が設けられている回転ドアのパネル取付け構造である。
そして、このようにすることによって、パネルの姿勢調整を、回転ドアの建付け現場で簡単に行うことができる。
請求項２の発明は、請求項１において、パネル保持装置には、パネル側に固定される第一プレートと、回転体側に固定され前記第一プレートと係脱自在に係合する第二プレートとで構成されるクラッチ部が設けられ、パネルは、回転体に対し前記所定の姿勢を保持する姿勢保持状態と回転方向への揺動が可能な揺動可能状態とに切換えられるように構成されている回転ドアのパネル取付け構造である。
【０００５】
【発明の実施の形態】
次に、本発明の実施の形態を図１〜図６の図面に基づいて説明する。
図面において、１は躯体に設けられる回転ドア装置であって、該回転ドア装置１を構成するべく躯体に建付けられる円筒状の筒壁体２には、直径方向に対向し、屋内外二箇所、つまり前後二箇所に位置する状態で開口部２ａ、２ｂがそれぞれ開設されており、これら開口部２ａ、２ｂが躯体内外の出入り口部となっている。３は筒壁体２と同芯状に配される回転体であって、該回転体３は、上下方向に突出する支軸３ａ、３ｂを出入り口部の天井側に配された軸受部４、床面に配された軸受部５により軸承されることで回動自在に構成されている。さらに、前記回転体３は平面視で略三角形状に形成されており、回転体３の各コーナー部に、外径側に伸長する三枚のパネル６の内径側端縁部の上下部位が、後述する上側のパネル保持装置７および下側の支持手段８を介してそれぞれ支持されている。そして、天井側には、回転体３の近傍に位置して図示しない電動回転手段が設けられており、該電動回転手段の駆動に基づいて平面視で反時計回り方向に回転し、これによって、三枚のパネル６が回転体３とともに一体回転して、開口部２ａ、２ｂを自動的に開閉する構成となっている。
【０００６】
さて、前記パネル保持装置７は、各パネル６上端部の内径側端部と回転体３の一つのコーナー部上側部位とのあいだに介装されるものであって、パネル保持装置７を構成する略Ｌ字形状のパネル取付け片９は、前記パネル６上端部の内径側コーナー部に螺子止め等の固定手段により固着されるように構成されている。さらに、パネル取付け片９の上側片９ａには、上下方向を向くパネル支軸１０の下端部が一体的に連結されている。
【０００７】
一方、１１は回転体３側に固定される回転体取付け片であって、該回転体取付け片１１の上方には支持板１２が配されるが、該支持板１２は回転体取付け片１１とのあいだに上下方向に空隙部Ｓ１を存する状態での固定が可能な構成となっており、これによって、該支持板１２の回転体３に対する位置調整ができるように設定されている。さらに、回転体取付け片１１と支持板１２とには、上下方向を向く貫通孔１１ａ、１２ａが貫通状に穿設されており、該貫通孔１１ａ、１２ａには、後述するように、軸受１１ｂ、１２ｂを介して前記パネル６側のパネル支軸１０の上側部位が回動自在に挿通支持されるように設定されている。
さらに、前記支持板１２の上面には、本発明のクラッチ部を構成する第一プレート１３が一体的に設けられているが、該第一プレート１３は平面視リング状に形成されており、内筒孔１３ａが前記各貫通孔１１ａ、１２ａと連通状となる状態で配されている。さらに、第一プレート１３の上面は、径方向を向く細溝が放射状に複数形成されたクラッチ面１３ｂに形成されている。尚、１１ｃは回転体側取付け片１１の下面に固着された補助プレートである。
【０００８】
そして、パネル６側に取付けられたパネル支軸１０は、回転体取付け片１１、支持板１２の各貫通孔１１ａ、１２ａ、そして、第一プレート１３の内筒孔１３ａに挿通する状態で上側に突出し、その突出先端部に、第二プレート１４の内筒部１４ａが回り止め、かつ軸方向への移動は許容される状態で取付けられている。前記第二プレート１４の下面は、径方向を向く細溝が放射状に複数形成されたクラッチ面１４ｂに形成され、前記第一プレートクラッチ面１３ｂに対して係脱自在となるように構成されている。そして、第一プレートクラッチ面１３ｂと第二プレートクラッチ面１４ｂとが互いに当接して係合している状態（クラッチ続状態）では、パネル６と回転体３とが一体化された姿勢保持状態となっているが、後述するように、第二プレート１４がパネル支軸１０に対して上方移動して、第一プレートクラッチ面１３ｂと第二プレートクラッチ面１４ｂとが離間してクラッチ面１３ｂ、１４ｂ同志の係合が解除されている状態（クラッチ断状態）では、パネル６は、回転体３に対してパネル支軸１０を軸中心として水平方向に揺動可能な状態となるように設定されている。尚、第一、第二プレート１３、１４の係脱切換えは、本実施の形態では電磁装置の切換えに基づいてなされるものになっているが、これに限定されることはなく、手動式にすることも可能である。
【０００９】
さらに、第二プレート１４上面から突出するパネル支軸１０の先端面にはカムプレート１５が配されるが、該カムプレート１５は、第二プレート１４がクラッチ続状態から断状態に切換わるのに必要な上方変位を許容するべく、第二プレート１４とのあいだに所定間隙Ｓ２を存した状態でパネル支軸１０に対して回り止め状かつ抜止め状に止着されている。このカムプレート１５には、周回り方向三箇所に凹溝状の第一、第二、第三ロック溝１５ａ、１５ｂ、１５ｃがそれぞれ形成されている。
【００１０】
一方、回転体３側に固定される支持板１２の上面には本発明の調整手段Ｒが設けられるが、該調整手段Ｒは、図３において第一、第二プレート１３、１４の左側部に配されている。尚、以降の説明を簡略化するため、前記図３をパネル保持装置７の正面図とし、これに基づいて説明する。
前記調整手段Ｒを構成する支持架台１６は矩形状の枠材に形成されており、支持架台１６の下片１６ａには前後方向を向く長孔１６ｂが穿設され、該長孔１６ｂに挿通した螺子１６ｃを支持板１２に螺合することで、支持架台１６が支持板１２に前後方向移動自在に取付けられるように構成されている。この支持架台１６の上片１６ｄには、前後方向に長い第一、第二支持板１７、１８の後端部が支軸１８ａを介して水平方向の揺動が自在な状態で取付けられている。これら第一、第二支持板１７、１８は上下方向に所定の空隙部が形成されており、第一、第二支持板１７、１８の前後方向略中央部に位置する空隙部に、回動軸１９ａを介して係合体１９が回動自在に支持されており、該係合体１９が、前記カムプレート１５の外周面に対し、左側から対向するように設定されている。
【００１１】
さらに、第一、第二支持板１７、１８の前端部には弾機２０の一端部が支持され、該弾機２０の他端部が支持板１２の右側に配された弾機ブラケット１２ｃに支持されており、これによって、弾機２０は、第一、第二支持板１７、１８とともに係合体１９をカムプレート１５側に向けて付勢するように設定されている。因みに、弾機２０は、他端部に螺軸２０ａが連結されており、該螺軸２０ａを、弾機ブラケット１２ｃに固定支持したナット１２ｄに螺合することで、弾機ブラケット１２ｃに支持されており、該螺軸２０ａの螺合位置を調整することで付勢力の大きさを調整できるように設定されている。
そして、係合体１９が、各ロック溝１５ａ、１５ｂ、１５ｃのうち、第一ロック溝１５ａに弾圧係合し、かつ、第一、第二プレート１３、１４とがクラッチ続状態となっている状態では、パネル６は回転体３から外径側に突出するように延出して、開口部２ａ、２ｂを閉鎖する仕切り姿勢を保持するように設定されている。
【００１２】
これに対し、前記状態において第一、第二プレート１３、１４とがクラッチ断状態となると、前述したように、パネル６は、回転体３に対してパネル支軸１０を軸中心として水平方向に揺動可能な状態となるが、この状態でパネル６が強く押されたりしたような場合に、係合体１９は、弾機２０の付勢力に抗した第一、第二支持板１７、１８のカムプレート１５から離れる方向への水平揺動に基づいて第一ロック溝１５ａから抜出し、そしてパネル６と一体回動するカムプレート１５の外周面を相対転動するように設定されている。この作動に伴い、パネル６は前方または後方に揺動して折り畳まれる開放姿勢となるが、このとき、係合体１９は、カムプレート１５（パネル支軸１０）の第二ロック溝１５ｂまたは第三ロック溝１５ｃに弾圧係合することにより、パネル６の前記前方または後方への開放姿勢が保持されて、開口部２ａ、２ｂを開放状態とするように設定されている。尚、第二、第三ロック溝１５ｂ、１５ｃは、回転方向先端側が大きく抉れた変形状の凹溝部に形成され、係合体１９が第二、第三ロック溝１５ｂ、１６ｃから抜け出ないように設定されている。これによって、パネル６は、前方または後方への所定の開放姿勢を越える開放がなされないように規制されている。
【００１３】
さらに、前記支持板１２の上面には、支持架台１６の前後片１６ｅ、１６ｆとは所定間隙を存する状態で突片１２ｅ、１２ｆが上方に向けて突設されており、これら突片１２ｅ、１２ｆに形成された螺子孔に調整螺子２１、２２がそれぞれ螺合され、これら各調整螺子２１、２２の軸部２１ａ、２２ａ先端が、支持架台前後片１６ｅ、１６ｆに対してそれぞれ前後方向から突当てられている。そして、支持架台１６は、下片１６ａに螺合された螺子１６ｃを緩め、前記各調整螺子２１、２２を突片１２ｅ、１２ｆに対して螺合位置を調整することにより、支持架台１６の前後方向位置を調整できるように設定されている。尚、２１ｂ、２２ｂはそれぞれ突片１２ｅ、１２ｆに当接状に配されて緩み防止をするためのナットである。
尚、２３は支持板１２に設けられた検知スイッチであって、カムプレート１５の第一ロック溝１５ａが係合体１９に係合している（仕切り姿勢となっている）か否かを検知するように設定されている。そして、検知スイッチ２３がＯＦＦ状態のときは、第一、第二プレート１３、１４で構成されるクラッチ部がクラッチ続状態とならないように設定されている。
【００１４】
そして、パネル６の外径側端縁部の筒壁体２に対する位置ズレを修正すべくパネル６の姿勢調整をする場合では、係合体１９がカムプレート第一ロック溝１５ａに弾圧係合していて仕切り姿勢となっているパネル６を、第一、第二プレート１３、１４からなるクラッチ部をクラッチ断状態として回転体３に対して揺動自在とする。そして、各調整螺子２１、２２の突片１２ｅ、１２ｆに対する螺合位置を調整することに基づいて、支持架台１６の支持板１２に対する前後方向の相対位置を位置調整すると、これに伴い、支持架台１６に支持され、カムプレート第一ロック溝１５ａに係合されたままの係合体１９が前後方向に移動変位することに伴い、カムプレート１５がパネル支軸１０を軸中心として前後方向に僅かに回転するような状態で変位し、これによって、パネル６の外径側端縁部が前後方向に揺動して姿勢調整されるように設定されている。つまり、図６（Ｂ）に示すように、前側の調整螺子２１を前方に突出させ、後方の調整螺子２２を前方に突出させるようにして支持架台１６を前方に位置調整することで、予め仕切り姿勢となっているパネル６の外径側端縁部を、さらに後方に揺動させた状態に調整できるようになっている。このように適宜パネル６の姿勢調整をした後、支持架台下片１６ａの螺子１６ｃを緊締し、かつ第一、第二プレート１３、１４からなるクラッチ部をクラッチ続状態とすることで、パネル６は前記姿勢調整された状態に保持されるように設定されている。
【００１５】
叙述の如く構成された本発明の実施の形態において、回転体３にパネル保持装置７を介してパネル６を取付け、このものを建付け現場の出入り口部に組込んだとき、仕切り姿勢となったパネル６の外径側端縁部の位置が、開口部２ａ、２ｂの端縁部とうまく位置合せされないような場合では、前述したように、建付け現場において、パネル保持装置７の係合体１９が支持される調整装置Ｒの支持架台１６を、調整螺子２１、２２の螺合位置を調整することにより前後方向に位置調整することで、パネル６の姿勢調整を簡単に行うことができる。この結果、回転ドア装置のパネル６は、パネル６の外径側端縁部と開口部２ａ、２ｂ端縁部との位置合せが常にきちんとなされたものにすることができて、意匠的にも優れた高品質で信頼性の高い製品を提供できる。
【００１６】
このように、本発明が実施されたものにおいては、パネル６を躯体出入り口部に建付けた状態で、パネル６のズレが判明したような場合であっても、建付け現場において、パネル保持装置７に設けられた支持架台１６を支持板１２に対して前後方向に位置調整することで、パネル６の姿勢調整ができることになり、この結果、従来のパネルの姿勢調整ができないもののように、パネルの外径側端縁部と筒壁体の側縁部とのあいだに設けた施錠具が施錠できなくなってしまうような不具合を防止できる。
【００１７】
しかも、パネル６の姿勢調整は、支持架台１６の前後方向に設けられた調整螺子２１、２２の支持板突片１２ｅ、１２ｆに対する螺合位置の調整をするだけの操作でよいことになって、調整作業が容易になって、一人での調整が可能である。しかも、パネル６は左右方向幅（パネル幅）が長いものであるが故に、その一端部である内径側端部の位置を前後方向に僅かに変位させることで、他端部である外径側端部位置においては増幅された状態で調整できるため、調整螺子２１、２２の僅かな螺合位置の調整操作で簡単にパネル６の調整ができる。
【００１８】
尚、本発明は前記実施の形態に限定されないことは勿論であって、係合体は、前記実施の形態のように回転体側ではなく、パネル側に設けることもできる。さらに、回転体に取付けられるパネルは二枚、四枚、六枚等出入り口部の大きさ等に合わせて適宜設けることができ、この場合に、各パネルと回転体とのあいだに本発明を実施することができる。
【図面の簡単な説明】
【図１】回転ドア装置の正面図である。
【図２】回転ドア装置の平面図である。
【図３】パネル保持装置の正面図である。
【図４】図４（Ａ）、（Ｂ）はそれぞれパネル保持装置の平面図、正面断面図である。
【図５】図５（Ａ）、（Ｂ）はそれぞれパネル保持装置の左側面図、右側面図である。
【図６】図６（Ａ）、（Ｂ）はそれぞれ調整装置によるパネルの姿勢調整を説明する平面図である。
【符号の説明】
１    回転ドア装置
２    筒壁体
２ａ    開口部
３    回転体
６    パネル
７    パネル保持装置
９    パネル取付け片
１０    パネル支軸
１１    回転体取付け片
１２    支持板
１３    第一プレート
１４    第二プレート
１５    カムプレート
１５ａ    第一ロック溝
１６    支持架台
１９    係合体
２０    弾機
２１    調整螺子
【図１】
0003809576.tif 000002
【図２】
0003809576.tif 000003
【図３】
0003809576.tif 000004
【図４】
0003809576.tif 000005
【図５】
0003809576.tif 000006
【図６】
0003809576.tif 000007